(57)【要約】【課題】電話装置が着信できない状態が不必要に長く維持されないようにする。【解決手段】接続された電話装置に対してホスト機器として機能する電子機器において、電話装置のデータ編集や電話装置へのデータ転送などのホスト処理が、終了しているか否かを監視し、終了していれば、接続された電話装置をホスト処理から解放する。つまり電話装置が通常モードに戻るようにする処理を行う。終了判断は例えばユーザー操作が無く、ホスト処理の状態変化がない期間が所定時間以上継続したことなどを条件とする。【選択図】図５
2008005229.tif 000002
【特許請求の範囲】
【請求項１】
接続された電話装置に対してホスト機器として機能する電子機器において、
上記電話装置との間でデータ通信を行う通信処理部と、
上記通信処理部によるデータ通信を用いて上記電話装置に対するホスト処理を実行するとともに、上記ホスト処理が終了したと判断することに応じて、上記電話装置を、ホスト処理から解放する制御を行う制御部と、
を備えることを特徴とする電子機器。
【請求項２】
上記ホスト処理とは、接続された電話装置が保持するデータの編集処理、もしくは接続された電話装置へのデータの転送処理であることを特徴とする請求項１に記載の電子機器。
【請求項３】
上記制御部は、上記ホスト処理の状態が変化せず、かつユーザー操作が行われない状態が所定時間継続した場合に、上記ホスト処理が終了したと判断することを特徴とする請求項１に記載の電子機器。
【請求項４】
接続された電話装置との間でデータ通信を行い、上記電話装置に対してホスト処理を行うステップと、
上記ホスト処理の状態が変化せず、かつユーザー操作が行われない状態が継続する時間を計数するステップと、
上記ホスト処理の状態が変化せず、かつユーザー操作が行われない状態が所定時間継続した場合に、上記ホスト処理が終了したと判断して、上記電話装置を、ホスト処理から解放するステップと、
を備えることを特徴とするホスト処理方法。
【発明の詳細な説明】
【技術分野】
【０００１】
本発明は、携帯電話器等の電話装置と接続されたときに、電話装置に対するホスト機器として機能する電子機器と、そのホスト処理方法に関するものである。
【背景技術】
【０００２】
【特許文献１】特開２００３−８６８３号公報
【特許文献２】特開２００２−２３２９５９号公報
【０００３】
近年、携帯電話器が広く普及し、また携帯電話器の機能も多様化している。例えば通話や電子メールの送受信といった通信機能以外に、音楽プレーヤ機能、カメラ機能、ゲーム機能などが備えられているものが多い。
また、各種機能に対応するため、携帯電話器においては、電話番号や電子メールアドレスなどを管理する電話帳データや、音楽プレーヤ機能で再生する音楽コンテンツデータ、カメラ機能で撮像した写真データ、ゲームプログラム、ゲームに関する保存データなど、多様なデータ、ファイル、プログラムも格納される。
【０００４】
そしてこのような携帯電話器を、例えばパーソナルコンピュータ等に接続し、パーソナルコンピュータがホスト機器として機能することで、携帯電話器のデータ等に関して編集を行ったり、データを転送させるといったホスト処理を行うことも可能とされている。例えば一般的には、携帯電話器をＵＳＢ（Universal Serial Bus）ケーブルでパーソナルコンピュータ等に接続し、ＵＳＢ通信を用いてデータの送受信を行いながら、ホスト処理を行うことができるようにされている。
例えばユーザーはパーソナルコンピュータ等のホスト機器を操作して、接続されている携帯電話器内の電話帳データや写真データの編集を行ったり、ホスト機器から音楽コンテンツデータ等を転送することなどができる。
【発明の開示】
【発明が解決しようとする課題】
【０００５】
ところで例えば上記のように携帯電話器をホスト機器に接続して、ホスト機器が携帯電話器に対するホスト処理を行っているときには、携帯電話器は、いわゆるスレーブ機器状態として、ホスト機器に対応する処理を行うことになる。説明上、携帯電話器のこのような動作状態を「ホスト対応モード」ということとする。
携帯電話器は、上記のホスト対応モードとなっていない「通常モード」にあるときは、いわゆる待ち受け動作を行い、電話や電子メールの着信を待機する状態にある。
そしてユーザーが携帯電話器をホスト機器に接続し、ホスト機器と携帯電話器の間の例えばＵＳＢ通信が確立されてホスト処理が開始される場合に、携帯電話器は、自身を通常モードからホスト対応モードに切り換え、ホスト機器の処理に従った動作を行う。このホスト対応モードの期間、携帯電話器はスレーブ機器として動作するのみで、本来の電話器としての動作を行わない。つまり電話や電子メールの着信の待ち受けは行わない。
また、携帯電話器は、例えばＵＳＢケーブルによる接続が外され、ホスト機器との通信が行われなくなると、自身を通常モードに復帰させて、通常の携帯電話動作、即ち着信の待ち受け動作を再開する。
【０００６】
このように、携帯電話器には、ホスト対応モードの期間は電話器として機能をしないものがあるが、するとこのような携帯電話器がホスト対応モードとなっている状態が長時間にわたると、ユーザーに不便を与えることになる。即ち、その携帯電話器のユーザーに対して知人からの電話や電子メールが長時間届かなくなる。もし緊急の用件があった場合などには大いに不都合である。
例えば、ユーザーが携帯電話器をパーソナルコンピュータ等に接続した場合（携帯電話器がホスト対応モードとなった場合）、ユーザーがパーソナルコンピュータ等に必要なホスト処理（データ編集やデータ転送）を行わせた後、直ぐに接続を取り外すことで、携帯電話器は通常モードに復帰するわけであるが、ユーザーがＵＳＢ接続を維持させたままの状態で放置しておくことも大いに考えられる。その場合、携帯電話器は、着信できないホスト対応モードの状態が維持されたままとなってしまい、その携帯電話器のユーザーに対する知人からの連絡が長時間とれない状態となる。
【０００７】
そこで本発明は、電話装置が着信できないホスト対応モードが、不必要に維持されないようにし、電話装置の本来の機能がホスト対応モードによってなるべく阻害されないようにすることを目的とする。
【課題を解決するための手段】
【０００８】
本発明の電子機器は、接続された電話装置に対してホスト機器として機能する電子機器である。そして上記電話装置との間でデータ通信を行う通信処理部と、上記通信処理部によるデータ通信を用いて上記電話装置に対するホスト処理を実行するとともに、上記ホスト処理が終了したと判断することに応じて、上記電話装置を、ホスト処理から解放する制御を行う制御部とを備える。
また上記ホスト処理とは、接続された電話装置が保持するデータの編集処理、もしくは接続された電話装置へのデータの転送処理である。
また上記制御部は、上記ホスト処理の状態が変化せず、かつユーザー操作が行われない状態が所定時間継続した場合に、上記ホスト処理が終了したと判断する。
【０００９】
本発明のホスト処理方法は、接続された電話装置との間でデータ通信を行い、上記電話装置に対してホスト処理を行うステップと、上記ホスト処理の状態が変化せず、かつユーザー操作が行われない状態が継続する時間を計数するステップと、上記ホスト処理の状態が変化せず、かつユーザー操作が行われない状態が所定時間継続した場合に、上記ホスト処理が終了したと判断して、上記電話装置を、ホスト処理から解放するステップとを備える。
【００１０】
携帯電話器等の電話装置が、ホスト機器と通信接続されることでホスト対応モードとなり、その期間、電話装置として機能しないものである場合、ホスト対応モードのままで放置されるなどすると、ユーザーに不都合を与えることになる。そこで本発明では、ホスト機器において、電話装置のデータ編集や電話装置へのデータ転送などのホスト処理が、終了しているか否かを監視し、終了していれば、接続された電話装置をホスト処理から解放する。つまり電話装置が通常モードに戻るようにする処理を行う。
【発明の効果】
【００１１】
本発明の電子機器及びそのホスト処理方法は、携帯電話器等の電話装置を接続し、その電話装置に対してホスト処理を行う場合において、ホスト処理が終了したと判断したときには上記電話装置をホスト処理から解放する制御を行う。これによって、電話装置は、ユーザーによるモード操作や接続の取り外しなどが無くとも、ホスト処理が終わった時点でホスト対応モードから通常モードに復帰できる。つまり接続されている電話装置は、ホスト処理に必要な期間のみホスト対応モードとして電話機能が実行されないが、ホスト処理が終了したら自動的に電話機能が発揮できる通常モードに戻されることになる。これによって、電話機能が発揮されない期間が長時間にわたってしまい、ユーザーに不都合を生じさせるということを防止できるという効果がある。
【発明を実施するための最良の形態】
【００１２】
以下、本発明の実施の形態を説明するが、まず図１に、本発明の電子機器の実施の形態とすることのできる機器の例を挙げる。
本実施の形態の電子機器は、携帯電話器９０を例えばＵＳＢ通信方式で接続した状態において、携帯電話器９０に対してホスト機器として機能できる装置であり、このような装置として図１（ａ）はパーソナルコンピュータ１００を示している。
例えばパーソナルコンピュータ１００に、携帯電話器９０のデータ編集アプリケーションや、携帯電話器９０へのデータ転送アプリケーションがインストールされており、携帯電話器９０が接続された状態で、これらのアプリケーションが起動されることで、ユーザーはそのアプリケーションの処理を利用して携帯電話器９０に対するデータ編集やデータ転送等のホスト処理を実行させることができる。
データ編集としては、例えば携帯電話器９０における電話帳／アドレス帳のデータの追加や書き換え、携帯電話器９０に保存される画像データや音楽データ等の編集や、それらのフォルダ移動、ファイル名（コンテンツ名）の更新などが想定される。
またデータ転送としては、例えば画像データ、音楽データ、ゲームプログラム、電話帳／アドレス帳ファイル等を携帯電話器９０に転送することなどが想定される。
【００１３】
また図１（ｂ）は、ＰＤＡ（Personal Digital Assistant）などの情報処理装置１０１を示しており、この情報処理装置１０１も、携帯電話器９０のデータ編集や携帯電話器９０へのデータ転送のためのアプリケーション／プログラムを有することで、接続された携帯電話器９０に対するホスト機器として機能できる。
【００１４】
図１（ｃ）は、携帯電話器９０に対する専用のデータ転送装置１を示している。
このデータ転送装置１は、オーディオＣＤに記録された楽曲等のオーディオデータを、携帯電話器９０に転送できる装置である。例えば携帯電話器が、内蔵するメモリやメモリカード等にオーディオデータを格納し、そのオーディオデータを再生するプレーヤ機能を備えたものである場合、ユーザーは、その携帯電話器にオーディオデータを取り込むことが必要になるが、このデータ転送装置１は、ユーザーが所持するオーディオＣＤの音楽等を、携帯電話器９０に取り込みたい場合に使用する装置である。さらに、このデータ転送装置１は、通常時は携帯電話器９０に対する充電台としても機能する機器であるとする。
【００１５】
携帯電話器９０に対してデータ編集やデータ転送を行うホスト機器としては、例えばこの図１（ａ）（ｂ）（ｃ）に示したような機器が想定される。もちろん、これらパーソナルコンピュータ１００、情報処理装置１０１、データ転送装置１以外にも、多様な機器が本発明の電子機器の実施の形態となり得るものである。
以下では、データ転送装置１を例に挙げて、実施の形態の構成及び動作を説明していく。
【００１６】
図２にデータ転送装置１の外観例を示す。図２（ａ）に示すように、データ転送装置１は、その筐体上面部にコネクタ部３が設けられている。このコネクタ部３は、上面に設けられた凹み部分３ａに配置されている。このコネクタ部３には、図３に示すように携帯電話機９０が装着される。即ちコネクタ部３は、携帯電話器９０の下端部に設けられているコネクタ部分に適合する端子構造とされており、図３のようにデータ転送装置１上に携帯電話器９０を接続して載置することができるようにされている。
図３のように携帯電話器９０が載置された場合、ユーザーが特にデータ転送装置１の操作を行わなければ、携帯電話器９０に対する充電動作を行う。なお、データ転送装置１には、図示しない電源端子にＡＣアダプタ２０が接続される。ＡＣアダプタ２０によって得られた直流電圧がデータ転送装置１の動作電源として用いられる。
【００１７】
またデータ転送装置１の筐体正面には、ユーザーが操作に用いる操作子として、スタンバイキー４，ＲＥＣキー５、イジェクトキー６が設けられている。
このデータ転送装置１は、通常時は図３のように携帯電話器９０が載置されることで、携帯電話器９０に対する充電台として機能するが、ユーザーの操作によって携帯電話器９０に対するオーディオデータの転送装置としても動作する。スタンバイキー４は、ユーザーが、データ転送装置１を用いてデータ転送を行いたい場合に操作する操作子である。つまりスタンバイキー４が押されることで、データ転送装置１がデータ転送のための処理動作を開始する。
ＲＥＣキー５は、実際に携帯電話器９０へのオーディオデータの転送を開始させるためにユーザーが操作する操作子である。
【００１８】
イジェクトキー６は、ディスクトレイをオープンさせるためにユーザーが操作する操作子である。
図２（ａ）のように、データ転送装置１の前面にはディスクトレイ２が設けられており、ユーザーがイジェクトキー６を押すことで、図２（ｂ）のようにディスクトレイ２がオープン状態となる。ディスクトレイ２には、オーディオＣＤ（ＣＤＤＡ：Compact Disc Digital Audio）のセンターホールに嵌合するチャッキング部１１や、そのオーディオＣＤを回転させる図示しないスピンドルモータや、回転されているオーディオＣＤから情報を読み取る光学ピックアップ１０などが設けられている。
ユーザーは、このディスクトレイ２にオーディオＣＤを装着してディスクトレイ２を閉じることで、データ転送装置１がオーディオＣＤの再生動作を行うことができる。
【００１９】
またデータ転送装置１には、ＬＥＤ（Light Emitting Diode）を用いた３つの発光部が設けられている。
まずコネクタ部３が配置された凹み部分３ａの周囲にリング状の発光窓７ａが形成され、この内部にＬＥＤ（以下、コネクタＬＥＤ７）が配置されている。
またＲＥＣキー５の上面に小孔が設けられ、その位置にＬＥＤ（以下、ＲＥＣ−ＬＥＤ８）が配置されている。
さらに、イジェクトキー６の近辺に小孔が設けられ、その位置にＬＥＤ（以下、ディスクＬＥＤ９）が配置されている。
【００２０】
コネクタＬＥＤ７、ＲＥＣ−ＬＥＤ８、ディスクＬＥＤ９は、それぞれ配置位置と発光態様によって、その発光動作の意味を明示的に示し、ユーザーの操作を誘導するようにされている。
コネクタＬＥＤ７、ＲＥＣ−ＬＥＤ８、ディスクＬＥＤ９は、発光態様として、それぞれ消灯、点灯、点滅、早点滅（点灯−消灯周期の短い点滅）が実行される。
そしてコネクタＬＥＤ７は、コネクタ部３の周囲で発光動作を行うものとされることで、それがコネクタ部３と接続される携帯電話器９０に関する発光動作であることをユーザーに認識させる。例えば、携帯電話器９０が装着されていない状態でコネクタＬＥＤ７を点滅させることで、ユーザーに携帯電話器９０の装着を誘導する。
またＲＥＣ−ＬＥＤ８はＲＥＣキー５上で発光動作を行うものとされることで、それがＲＥＣキー５による転送動作に関する発光であるとユーザーに認識させる。例えばＲＥＣ−ＬＥＤ８の点滅により、ユーザーにＲＥＣ−ＬＥＤ８の操作を誘導する。
またディスクＬＥＤ９は、イジェクトキー６の近辺に配置されることで、ユーザーは、その発光動作は、ディスクに関するものと理解できる。例えばディスクの取り替えを誘導する発光動作などを行う。
なお、発光態様としての消灯、点灯、点滅、早点滅については、一般にユーザーは、点灯は正常、点滅は処理中または誘導中、早点滅は異常を示すこととして捉えることを考慮して、各種場合に応じて後述するように切換制御されればよい。
【００２１】
図４にデータ転送装置１の内部構成を示す。
制御部３０は、例えばＣＰＵ（Central Processing Unit ）、ＲＯＭ（Read Only Memory）、ＲＡＭ（Random Access Memory）、インターフェースを備えたマイクロコンピュータにより形成され、動作プログラムや操作入力に応じて、データ転送装置１が充電機能及び転送機能に関しての所要の動作を実行するように図示する各部を制御する。
制御部３０は、例えばソフトウエアタイマとしてタイマ３０ａを備え、時間計数を行うことができる。なお、もちろん制御部３０の内部ではなく、制御部３０の外部にタイマを備えるようにしても良い。
【００２２】
メディアドライブ３１は、上記のディスクトレイ２に装填されたオーディオＣＤを再生する再生部である。装填されたオーディオＣＤをスピンドルモータにより回転させながら、光学ピックアップによりレーザ光を照射し、その反射光を検出する。そして反射光から得られる信号に対して所要のデコード処理を行って、オーディオＣＤに記録されているオーディオデータやサブコード情報（管理情報）を再生する。
メディアドライブ３１は、制御部３０の指示に応じてこのようなオーディオＣＤに対する再生動作を行う。携帯電話器９０へのデータ転送時には、オーディオＣＤから再生したオーディオデータをＵＳＢコントローラ３２に供給する。
なおディスクが装填された際には、メディアドライブ３１はディスクに対する初期処理としてディスクに対して再生可能にするための立ち上げ処理や管理情報（例えばオーディオＣＤにおいてサブコードで構成されるＴＯＣ（Table of Contents）情報など）の読み出しを行う。制御部３０は、メディアドライブ３１において適正に立ち上げ処理が完了できたか否かの状況や、オーディオＣＤとしての管理情報が読み出されたかなどにより、データ転送に用いる適正なディスクが装填されているか否かを判別することができる。
【００２３】
なお、本例ではメディアドライブ３１はオーディオＣＤに対応するオーディオデータ再生部として説明するが、メディアドライブ３１は他のディスクや他の種のメディアに対応するデータ再生部であってもよい。
例えばＣＤ方式、ＤＶＤ（Digital Versatile Disc）方式、ブルーレイディスク方式、ミニディスク方式などの各種の光ディスク（光磁気ディスク）や、フラッシュメモリ等の固体メモリを内蔵したメモリカードなどの記録媒体に対して再生を行う装置部とされてもよいし、ＨＤＤ（Hard Disc Drive）であってもよい。もちろん、携帯電話器９０に転送するデータはオーディオデータに限られず、静止画データ、動画データ、テキストデータ、ファイルデータ、プログラムなどであってもよい。
【００２４】
また、図４におけるメディアドライブ３１は、ディスクトレイ２をオープンさせる機構部分も含むものとしており、制御部３０の指示に応じて当該機構を駆動し、ディスクトレイ２を図１（ｂ）の状態にオープンさせる。なお、オープンされたディスクトレイ２は、ユーザーが押し戻すことでクローズ状態となる。
またメディアドライブ３１には、ディスクトレイ２がオープン状態かクローズ状態にあるかを検出するセンサが備えられ、ディスクトレイ２のオープン／クローズの情報を制御部３０に供給できるように構成されている。
【００２５】
ＵＳＢコントローラ３２は、ＵＳＢ（Universal Serial Bus）方式で携帯電話器９０との通信を行う。特には、ＵＳＢコントローラ３２は、メディアドライブ３１で再生されたオーディオデータを、コネクタ部３に接続された携帯電話器９０に転送する転送処理部として機能する。
ＵＳＢコントローラ３２によって携帯電話器９０との間でＵＳＢ方式での通信が行われることで、コネクタ部３には、少なくともＵＳＢ接続のための４つの端子が形成され、４つのラインが携帯電話器９０との間で接続されることになる。即ちＤ＋ライン、Ｄ−ラインとしてのデータラインと、バスパワーＶBUSを供給する電源ラインと、グランドラインである。
データ転送の実行時には、ＵＳＢコントローラ３２は、メディアドライブ３１で再生されたオーディオデータをＵＳＢ通信フォーマットにエンコードし、携帯電話器９０との間でのデータ通信（Ｄ＋ライン、Ｄ−ラインの通信）を実行することで、オーディオデータを携帯電話器９０に転送する。
【００２６】
コネクタ部３は、図２，図３のように携帯電話器９０が接続される端子構造を持つが、図４では、その内でデータ転送動作と充電動作に関連する５つの端子を示している。コネクタ部３に設けられる端子のうちで４つの端子は上記のＵＳＢ接続に用いられる端子である。また１つの端子は、データ転送装置１が充電台として機能しているときに、充電電流を供給するための端子とされる。
【００２７】
電源部３３は、ＤＣ／ＤＣコンバータを備え、ＡＣアダプタ２０から供給される直流電圧から各部に必要な電圧を精製する。例えば制御部３０やメディアドライブ３１に対する電源電圧Ｖ１，Ｖ２や、ＵＳＢコントローラ３２及び外部機器（携帯電話器９０）にバスパワーとして供給する電圧ＶBUS、さらには携帯電話器９０に充電を行うための電圧Ｖcgを生成する。
電源部３３による電圧ＶBUS、Ｖcg等の供給の有無、即ち電源オン／オフは制御部３０によって制御される。
【００２８】
発音部３４は電子音を発生させる部位である。制御部３０は所定のタイミングで発音部３４に電子音を発生させる。例えば制御部３０は、オーディオＣＤからの携帯電話器９０へのデータ転送が終了した時点で発音部３４に電子音を発生させ、ユーザーに対して転送完了を告知する。
【００２９】
上述したように筐体上に配置されるスタンバイキー４、ＲＥＣキー５、イジェクトキー６が操作された場合は、その操作情報は制御部３０に供給される。制御部３０は操作情報に応じた制御処理を行う。
スタンバイキー４が操作された場合、制御部３０は転送機能を実行する状態に移行する処理を行う。或いは転送完了後に、スタンバイキー４が操作された場合は、充電台機能に戻る処理を行う。
ＲＥＣキー５が操作された場合、制御部３０はメディアドライブ３１での再生処理と、ＵＳＢコントローラ３２による転送処理を実行させる。
なお、ＲＥＣキー５が長押し（例えば２〜３秒程度の継続押し）された場合は、制御部３０は、ユーザーが転送動作のキャンセル操作を行ったとしてキャンセル処理を行う。
イジェクトキー６が操作された場合、制御部３０はメディアドライブ３１におけるイジェクト動作、つまりディスクトレイ２をオープンさせる制御を行う。
【００３０】
ＬＥＤ発光部３５，３６，３７は、それぞれコネクタＬＥＤ７、ＲＥＣ−ＬＥＤ８、ディスクＬＥＤ９を発光駆動する部位であり、それぞれ制御部３０からの発光駆動パルスが与えられることで、ＬＥＤ発光を実行する。
制御部３０は、ＬＥＤ発光部３５，３６，３７に与える発光駆動パルスの切り換えにより、コネクタＬＥＤ７、ＲＥＣ−ＬＥＤ８、ディスクＬＥＤ９のそれぞれの発光態様として点灯（連続発光）、点滅、早点滅を切り換えることができる。
【００３１】
このような本例のデータ転送装置１は、充電モードとホスト処理モードの動作が行われる。充電モードとは、載置された携帯電話器９０に対して充電台として機能する動作状態である。
即ち電源部３３からは充電電圧Ｖcgが出力される状態とし、携帯電話器９０がコネクタ部３に載置されれば、そのコネクタ部３に充電電圧Ｖcgが印加され、携帯電話器９０内の二次電池に対して充電電流が供給されて充電が行われる。
ユーザーは、データ転送装置１を用いて、オーディオＣＤに収録されている音楽等を携帯電話器９０に取り込ませたい場合は、スタンバイキー４を操作する。スタンバイキー４が操作されることにより、制御部３０はデータ転送を行うための処理を開始する。
即ちスタンバイキー４の操作がされた時点から、このデータ転送装置１は、ホスト処理モードとなり、携帯電話器９０に対してＵＳＢ通信を開始し、携帯電話器９０に対してオーディオデータを転送するホスト機器として機能することになる。
【００３２】
ホスト処理モードの処理を簡単に述べる。
スタンバイキー４の操作が行われると、制御部３０は、まずオーディオＣＤの装填と携帯電話器９０のコネクタ部３への接続の確認を行う。
もし携帯電話器９０がコネクタ部３に接続されていなければ、制御部３０はコネクタＬＥＤ７を点滅させ、ユーザーに携帯電話器９０の載置を促す。
なお、携帯電話器９０が接続されているか否かは、ＵＳＢコントローラ３２に携帯電話器９０との通信を試行させ、適正に通信が実行できるか否かで判別できる。
またメディアドライブ３１にオーディオＣＤが装填されていなかったり、対応できないディスクが装填されているような場合は、ディスクＬＥＤを点滅させたり、ディスクトレイ２をオープンさせるなどにより、ユーザーに適正なオーディオＣＤの装填を促す。
【００３３】
オーディオＣＤの装填と携帯電話器９０のコネクタ部３への接続が確認されたら、制御部３０はＲＥＣ−ＬＥＤ８を点滅させ、データ転送開始の操作（ＲＥＣキー５の操作）をユーザーに促す。
そしてユーザーがＲＥＣキー５を操作したら、制御部３０は、メディアドライブ３１とＵＳＢコントローラ３２に指示し、携帯電話器９０に対するデータ転送を開始させる。
【００３４】
例えばデータ転送装置１がこのようなホスト処理モードでの処理を行う際には、接続された携帯電話器９０は、通常モードからホスト対応モードに切り換えられる。
携帯電話器９０は、データ転送装置１に装着されていないときや、データ転送装置１に装着されていてもデータ転送装置１が充電モードとして機能しているときは、通常モードの状態である。つまり携帯電話器９０は、電話や電子メールの着信を待機している状態である。
この携帯電話器９０は、データ転送装置１との間でＵＳＢ通信が開始されると、自己の処理モードを通常モードからホスト対応モードに切り換える。即ちデータ転送装置１をホストとして、データ転送装置１とのＵＳＢ通信に応じて処理を行うモードとなる。具体的には、データ転送装置１から転送されてくるオーディオデータを取り込んでいく処理を行う。そしてこのホスト対応モードとなっている期間は、携帯電話器９０は電話装置としての通常の動作である着信待機を行わない。
携帯電話器９０は、ＵＳＢ通信が解除されるまでは、ホスト対応モードとして機能する。そして例えばユーザーが携帯電話器９０をデータ転送装置１から取り外すことでＵＳＢ通信が解除された場合は、携帯電話器９０はホスト対応モードから通常モードに復帰する。
つまり携帯電話器９０は、ホスト機器（データ転送装置１）との間で、ＵＳＢ通信が有効な期間はホスト対応モードとなってホスト機器に依存する処理を行い、ＵＳＢ通信が解除されている期間は通常モードとなって着信待機を行う装置である。
【００３５】
すると、上述したように、例えばオーディオデータの転送が完了した後であっても、ユーザーが携帯電話器９０をデータ転送装置１のコネクタ部３から外さない限りは、携帯電話器９０はホスト対応モードのままであり、その間、着信ができないことになる。
そこで本例のデータ転送装置１の制御部３０は、ホスト処理モードの際（携帯電話器９０がホスト対応モードとなっている際）には図５のようなホスト処理が終了したか否かを判別する処理を行うようにし、ホスト処理が終了したと判断した場合は、ＵＳＢ通信接続を解除し、これによって携帯電話器９０を通常モードに復帰させるようにする。
【００３６】
図５はホスト処理モードの際に、制御部３０が実行する終了判別処理を示している。
制御部３０は、ホスト処理モードとしての処理を開始すると、ステップＦ１０１でタイマ３０ａのタイムカウントを開始させる。そしてステップＦ１０２，Ｆ１０３，Ｆ１０４の判別処理を行う。
なお実際には、ステップＦ１０２〜Ｆ１０５の処理は、ホスト処理モードの期間中に一定時間毎の割込処理として行われればよい。
【００３７】
ステップＦ１０２では、制御部３０は、ユーザー操作が行われていない状態であるか否かを判別する。即ち、スタンバイキー４、ＲＥＣキー５、イジェクトキー６の操作の有無である。
ユーザー操作が無い状況であれば、ステップＦ１０３で状態変化があるか否かを判別する。状態変化とはホスト処理状態の変化のことであり、具体的にはホスト処理として何らかの処理を実行しているか否かの判定となる。データ転送装置１の場合、ディスクトレイ２の制御やメディアドライブ３１でのディスク判別、或いはＵＳＢコントローラ３２による携帯電話器９０の確認や、携帯電話器９０へのオーディオデータの転送などが行われている場合は、状態変化ありと判定する。状態変化なしと判定するのは、ホスト処理が終了しているか、或いはユーザーの操作待ちや動作エラーなどでホスト処理が中断している場合である。
【００３８】
なお、ここではデータ転送装置１をホスト機器とする例で述べているが、図１に示したようにパーソナルコンピュータ１００や情報処理装置１０１等をホスト機器として例えば携帯電話器９０のデータの編集を行っている場合は、状態変化とは、そのホスト機器において、データ編集等のためのホスト処理のアプリケーションによる処理が行われているか否かの判断となる。
【００３９】
ステップＦ１０２でユーザーの操作が有ったと判定された場合、或いは、ステップＦ１０３で状態変化有りと判定された場合は、ステップＦ１０５でタイマ３０ａをリセットさせて、再びタイムカウントを開始させる。
ユーザー操作が無く、また状態変化も無い場合（データ転送に関連する処理を行っていない場合）には、制御部３０はステップＦ１０４で、タイマ３０ａのタイムカウント値が所定時間以上が経過しているか否かを確認する。経過していなければ、ステップＦ１０２に戻る。
ステップＦ１０４でタイマ３０ａのタイムカウント値が所定時間以上経過していると判断される場合とは、ホスト処理モードでありながら、ユーザーの操作もなく、また実質的にホスト処理（データ転送のための処理）を実行していない時間が、所定時間以上経過した場合である。
このような場合は、制御部３０は、処理をステップＦ１０６に進め、ＵＳＢコントローラ３２による携帯電話器９０とのＵＳＢ通信を解除させる。具体的にはＵＳＢ接続によるバスパワーＶBUSの供給を遮断すればよい。そして制御部３０はホスト処理モードとしての制御を停止し、充電モードに復帰する。
このとき、バスパワーＶBUSの供給が停止され、ＵＳＢ通信が解除されると、携帯電話器９０は、データ転送装置１のコネクタ部３から取り外された状況と同じ状況となり、携帯電話器９０内のコントローラは、ＵＳＢ接続によるホスト対応モードを終了し、通常モードに復帰する。即ち着信待機を行う状態に戻る。
【００４０】
図６にデータ転送装置１と携帯電話器９０のモード変化の例を示す。
例えばｔ１時点までは、携帯電話器９０はデータ転送装置１に装着されて充電がおこなわれているとする。つまりデータ転送装置１は充電モード、携帯電話器９０は通常モードである。
ここでｔ１時点でユーザーがスタンバイキー４の操作を行ったとする。データ転送装置１は、これに応じてホスト処理モードとしてホスト処理を開始する。即ちまずＵＳＢ通信を確立させる。ＵＳＢ通信確立によって、携帯電話器９０はホスト対応モードとなる。
その後、ホスト処理モードとして、ユーザーの操作に応じてデータ転送等が行われる。ただし、実際には、ユーザーがスタンバイキー４の操作後に長時間何も操作しないでいることで、実際のデータ転送が開始されない場合もあるし、データ転送が行われてそれが完了した後、ユーザーがそのまま放置していることもある。
ここで、ホスト処理モードの期間中は、上記図５の処理が行われているため、一定時間以上、ユーザーの操作が行われず、かつホスト処理として状態変化がない場合は、制御部３０は自動的に携帯電話器９０のホスト対応モードを終了させるものとする。
例えばｔ２時点で、上記図５のステップＦ１０４からＦ１０６に進んだとすると、制御部３０はホスト処理終了と判断し、携帯電話器９０に対してＵＳＢ通信を解除することで、携帯電話器９０を通常モードとさせる。データ転送装置１自身は、充電モードに復帰する。
【００４１】
つまり本実施の形態では、データ転送のためのホスト処理を自動終了する判断基準として、ホスト処理としての状態変化が無く（接続された携帯電話器９０およびデータ転送装置１の処理状態が変化していない）ことと、ユーザーの操作がないことという２点を満たす状態が一定時間継続することとする。そしてこの判断基準に沿って、ホスト処理モードを自動終了し、携帯電話器９０もホスト対応モードを終了させる。
これによって、携帯電話器９０が長時間、着信できない状況で放置されることはなくなる。
従って、ユーザーがデータ転送装置１に携帯電話器９０を接続したままでも、ある程度の時間がたつと、電話機能が有効となる。これにより、電話着信があった場合にユーザーは受け答えができるし、またユーザーが携帯電話器９０の近くにいなくとも、電話機能が有効になることで、留守録音機能等や電子メール受信などにより知人等からの用件を知ることができる。また充電も行われる状態になる。
【００４２】
なお実施の形態では、データ転送装置１はＵＳＢ接続におけるバスパワーＶBUSの供給を遮断してＵＳＢ通信を解除することで、携帯電話器９０が通常モードに戻るようにする例を示したが、これは携帯電話器９０が、ＵＳＢ接続解除によって通常モードに戻る処理を行う機器であることを前提としている。
本発明の電子機器において、接続される電話装置がホスト処理から解放されるようにするには、例えば電話装置に対してホスト対応モード解除（通常モードへの復帰）のコマンドを送信するような例も考えられる。
もちろん本発明の電子機器と電話装置の通信方式は、ＵＳＢ通信に限らず、ＩＥＥＥ１３９４方式やＰＣカードインターフェースによる通信など、他の通信方式でもよい。
【図面の簡単な説明】
【００４３】
【図１】本発明の電子機器の実施の形態の説明図である。
【図２】実施の形態のデータ転送装置の外観の説明図である。
【図３】実施の形態のデータ転送装置に携帯電話器を接続した状態の説明図である。
【図４】実施の形態のデータ転送装置のブロック図である。
【図５】実施の形態のホスト処理終了判定の処理のフローチャートである。
【図６】実施の形態のモード状態の遷移の説明図である。
【符号の説明】
【００４４】
１  データ転送装置、２  ディスクトレイ、３  コネクタ部、４  スタンバイキー、５  ＲＥＣキー、６  イジェクトキー、７  コネクタＬＥＤ、８  ＲＥＣ−ＬＥＤ、９  ディスクＬＥＤ、３０  制御部、３０ａ  タイマ、３１  メディアドライブ部、３２  ＵＳＢコントローラ、３３  電源部、３４  発音部、３５，３６，３７  ＬＥＤ発光部、９０  携帯電話器、１００  パーソナルコンピュータ、１０１  情報処理装置
【図１】
2008005229.tif 000003
【図２】
2008005229.tif 000004
【図３】
2008005229.tif 000005
【図４】
2008005229.tif 000006
【図５】
2008005229.tif 000007
【図６】
2008005229.tif 000008